(57)【特許請求の範囲】
【請求項１】
配線基板の面に配され、相手方コネクタ装置の嵌合部が上記配線基板の面に沿って差し込まれる差込口部が設けられた絶縁ハウジングと、
該絶縁ハウジングに配列配置されて設けられ、各々が該絶縁ハウジングの外部に露出して上記配線基板に設けられた配線端子に接続される接続端部と上記差込口部に差し込まれた上記相手方コネクタ装置の嵌合部における接触端子部に押圧接触する接触接続部とを有した複数のコンタクトと、
上記絶縁ハウジングに該絶縁ハウジングの外面部を部分的に覆う状態をもって固定され、上記配線基板における接地電位部に接続される導電性シェルと、
を備えて成り、
上記導電性シェルに導電性カバーが接触接続されて装着され、
上記導電性カバーが、開口窓部が設けられたものとされたもとで、上記導電性シェルに対して上記配線基板の面に沿う方向に移動可能とされて第１の静止位置と第２の静止位置とを選択的にとり、
上記導電性カバーが上記第１の静止位置をとるとき、上記開口窓部が上記絶縁ハウジングの外部に露出した上記複数のコンタクトの接続端部に対応する位置におかれ、上記導電性カバーが上記第２の静止位置をとるとき、上記開口窓部が上記導電性シェルの部分によって塞がれるとともに、上記導電性カバーにおける上記開口窓部が形成されていない部分が上記絶縁ハウジングの外部に露出した上記複数のコンタクトの接続端部を覆う位置におかれること、
を特徴とするコネクタ装置。
【請求項２】
上記導電性シェルに第１の係合部が形成されているとともに上記導電性カバーに第２の係合部が形成されていて、上記導電性カバーが上記第２の静止位置をとるとき、上記第１の係合部と上記第２の係合部とが相互係合し、上記導電性カバーを上記導電性シェルに対して係止することを特徴とする請求項１記載のコネクタ装置。
【請求項３】
上記導電性シェルにおける上記複数のコンタクトの配列方向の両端部の夫々に上記導電性カバーに対するガイド部が設けられるとともに、上記導電性カバーに上記ガイド部に移動可能に係合する係合溝部が設けられていて、上記ガイド部に係合した上記係合溝部が、上記ガイド部による案内を受けて上記複数のコンタクトの配列方向に直交する方向に往復動を行い得るものとされたことを特徴とする請求項１記載のコネクタ装置。
【請求項４】
上記導電性シェルにおける上記ガイド部に、上記絶縁ハウジングが上記配線基板の面に配されたもとで上記配線基板の面との間に所定の空隙を形成する空隙形成部が設けられており、上記導電性カバーにおける上記係合溝部が上記空隙形成部に係合することを特徴とする請求項３記載のコネクタ装置。
【請求項５】
上記導電性シェルにおける上記ガイド部に第１の係合部が形成されているとともに上記導電性カバーにおける上記係合溝部に第２の係合部が形成されていて、上記係合溝部が上記ガイド部に係合したもとで上記導電性カバーが上記第２の静止位置をとるとき、上記第１の係合部と上記第２の係合部とが相互係合し、上記導電性カバーを上記導電性シェルに対して係止することを特徴とする請求項３記載のコネクタ装置。
【請求項６】
上記第１の係合部が係合受部を形成しているとともに、上記第２の係合部が突出係合部を形成していることを特徴とする請求項５記載のコネクタ装置。
【請求項７】
上記導電性カバーが、弾性金属板状部材に打抜き・屈曲加工が施されて形成され、上記導電性シェルから分離し得るものとされていることを特徴とする請求項１記載のコネクタ装置。
【発明の詳細な説明】
【技術分野】
【０００１】
本願の特許請求の範囲に記載された発明は、配線基板に取り付けられたもとで複数の同軸ケーブル等の信号伝送部材が接続された相手方コネクタ装置が嵌合連結されるものとされて、信号伝送部材の配線基板との電気的接続に用いられるコネクタ装置に関する。
【背景技術】
【０００２】
複数の比較的細い同軸ケーブル等の高周波信号伝送部材を、各種の電気部品が取り付けられる配線基板に電気的に接続するにあたっては、配線基板に取り付けられて当該配線基板との電気的接続がなされる基板側コネクタ装置と、高周波信号伝送部材が接続されて基板側コネクタ装置との嵌合連結状態におかれる信号伝送部材側コネクタ装置と、が用いられることが多い。基板側コネクタ装置からみると、信号伝送部材側コネクタ装置は基板側コネクタ装置にとっての相手方コネクタ装置となる。
【０００３】
斯かる場合、基板側コネクタ装置は、例えば、相手方コネクタ装置の嵌合部が差し込まれる差込口部が設けられて配線基板上に配された絶縁ハウジングを備えており、その絶縁ハウジングに複数のコンタクトが配列配置されて設けられていて、複数のコンタクトの夫々が、絶縁ハウジングの外部に突出して配線基板に設けられた配線端子に、例えば、半田付けによって接続される接続端部と、差込口部に差し込まれた相手方コネクタ装置の嵌合部における接触端子部に押圧接触する接触接続部、を有したものとされる。さらに、基板側コネクタ装置は、外部への不要な電波放射及び外部からの不要な電波干渉を低減させるべく、金属板材製とされて絶縁ハウジングの外面部を部分的に覆い、配線基板における接地電位部に、例えば、半田付けによって接続される導電性シェルを備えたものとされる。
【０００４】
また、基板側コネクタ装置の絶縁ハウジングにおける差込口部に差し込まれる嵌合部に複数の接触端子部が設けられた相手方コネクタ装置も、例えば、複数の同軸ケーブルとされる高周波信号伝送部材が複数の接触端子部に接続される状態をもって連結されたもとで、外部への不要な電波放射及び外部からの不要な電波干渉を低減させるべく、金属板材製とされた導電性シェルを備えたものとされる。そして、基板側コネクタ装置の絶縁ハウジングにおける差込口部に相手方コネクタ装置の絶縁ハウジングにおける嵌合部が差し込まれたときには、相手方コネクタ装置の嵌合部に設けられた複数の接触端子部が、それらに基板側コネクタ装置の複数のコンタクトの接触接続部が夫々圧接接触するものとされ、また、相手方コネクタ装置の導電性シェルと基板側コネクタ装置の導電性シェルとが相互接触接続状態におかれる。
【０００５】
上述のような基板側コネクタ装置にあっては、通常、配線基板に取り付けられたもとにおいて、絶縁ハウジングからその外部に突出して配線基板に設けられた複数の配線端子に夫々接続された複数のコンタクトの接続端部が、絶縁ハウジングの外面部を部分的に覆う導電性シェルによって覆われることなく、配線基板上に露出したものとされる。複数のコンタクトの接続端部が導電性シェルによって覆われるようにされると、それらを配線基板に設けられた複数の配線端子に、例えば、半田付けによって夫々接続するにあたり、その半田付けに際しての支障がもたらされるからである。即ち、複数のコンタクトの接続端部には、電磁シールド（電磁遮蔽）が施されないことになる。その結果、複数のコンタクトの接続端部が、電磁シールドが施されることなく、配線基板上に露出したものとされる基板側コネクタ装置においては、当該複数のコンタクトの接続端部において、外部への不要な電波放射あるいは外部からの不要な電波干渉が生じる事態がもたらされる虞がある。
【０００６】
そのため、従来、配線基板上に配された絶縁ハウジングと絶縁ハウジングに配列配置された複数のコンタクトと絶縁ハウジングの外面部を部分的に覆う導電性シェルとを備えた基板側コネクタ装置について、その絶縁ハウジングからその外部に突出して配線基板に設けられた複数の配線端子に夫々接続された複数のコンタクトの接続端部を、配線基板に設けられた複数の配線端子に半田付けにより夫々接続された後に、金属部材によって覆うことにより、基板側コネクタ装置の複数のコンタクトの接続端部に対する電磁シールドを施すようにしたコネクタ組立体が提案されている（例えば、特許文献１参照。）。
【０００７】
特許文献１に記載された従来提案されているコネクタ組立体は、配線基板（主印刷配線基板(B))上に実装された基板側コネクタ装置（リセプタクルコネクタ(2))と複数の同軸ケ−ブル(SC)が連結された相手方コネクタ装置（プラグコネクタ(1))とを含んで構成されている。基板側コネクタ装置(2) は、相手方コネクタ装置(1) の絶縁ハウジング（本体ハウジング(11)) に設けられた嵌合部（嵌合突部(11b))が差し込まれる差込口部が設けられて配線基板(B) 上に配された絶縁ハウジング（本体ハウジング(21)) を備えており、その絶縁ハウジング(21)に複数のコンタクト（導電コンタクト(22)) が配列配置されて設けられていて、複数のコンタクト(22)の夫々が、絶縁ハウジング(21)の外部に突出して配線基板(B) に設けられた配線端子( 信号伝送路又はグランド導電路) に半田付けによって接続される接続端部（半田接続部(22a))と、差込口部に差し込まれた相手方コネクタ装置(1) の嵌合部(11b) における接触端子部（端子電極部(12a))に押圧接触する接触接続部（接点凸部(22b))と、を有したものとされている。さらに、基板側コネクタ装置(2) は、絶縁ハウジング(21)の外面部を部分的に覆い、配線基板(B) における接地電位部（グランド導電路）に半田付けによって接続される導電性シェル(23)を備えている。
【０００８】
そして、斯かる基板側コネクタ装置(2) にあっては、配線基板(B) に取り付けられたもとにおいて、絶縁ハウジング(21)からその外部に突出して配線基板(B) に設けられた複数の配線端子に夫々接続された複数のコンタクト(22)の接続端部(22a) が、絶縁ハウジング(21)の外面部を部分的に覆う導電性シェル(23)によって覆われることなく、配線基板(B) 上に露出したものとされる。
【０００９】
一方、相手方コネクタ装置(1) は、嵌合部(11b）が設けられた絶縁ハウジング(11)に各々が接触端子部（端子電極部(12a))を有したものとされて配列配置された複数のコンタクト（導電コンタクト(12)) に複数の同軸ケーブル(SC)が接続されたもとで、外部への不要な電波放射及び外部からの不要な電波干渉を低減させるべく、金属板材製とされて絶縁ハウジング(11)の外面部を部分的に覆う導電性シェル(13)を備えたものとされている。さらに、相手方コネクタ装置(1) は、導電性シェル(13)に回動可能に取り付けられた嵌合回動アーム(14)を備えており、嵌合回動アーム(14)は、その両端部分の夫々に設けられた回動軸部(14a) が導電性シェル(13)の後端部分における両端部分の夫々に設けられた軸受け部(13d) に回動可能に挿入されていて、嵌合開放位置と嵌合作用位置とを選択的にとるものとされている。斯かる嵌合回動アーム(14)には、直線状に伸びる回動操作部(14c) と板状部材から成る導電性カバー部(14d) とが一体的に設けられている。
【００１０】
そして、相手方コネクタ装置(1) に備えられた嵌合回動アーム(14)が嵌合開放位置をとるもとで、相手方コネクタ装置(1) の絶縁ハウジング(11)における嵌合部(11b) が基板側コネクタ装置(2) の絶縁ハウジング(21)における差込口部に差し込まれて、基板側コネクタ装置(2) と相手方コネクタ装置(1) とが嵌合状態におかれたときには、相手方コネクタ装置(1) の嵌合部(11b) に設けられた複数の接触端子部(12a) が、それらに基板側コネクタ装置(2) の複数のコンタクト(22)の接触接続部(22b) が夫々圧接接触するものとされ、また、相手方コネクタ装置(1) の導電性シェル(13)と基板側コネクタ装置(2) の導電性シェル(23)とが相互接触接続状態におかれる。その後、相手方コネクタ装置(1) に備えられた嵌合回動アーム(14)が、導電性シェル(13)に設けられた軸受け部(13d) に挿入された回動軸部(14a) を回動中心として回動せしめられて、嵌合開放位置から嵌合作用位置へと移行すると、当該嵌合回動アーム(14)が、基板側コネクタ装置(2) の導電性シェル(23)に係合して基板側コネクタ装置(2) と相手方コネクタ装置(1) との嵌合状態を維持する嵌合保持部材として機能する。そして、嵌合回動アーム(14)が嵌合作用位置をとるもとにあっては、嵌合回動アーム(14)に一体的に設けられた回動操作部(14c) 及び導電性カバー部(14d) が、基板側コネクタ装置(2) の絶縁ハウジング(21)からその外部に突出して配線基板(B) に設けられた複数の配線端子に夫々接続されて配線基板(B) 上に露出した、基板側コネクタ装置(2) の複数のコンタクト(22)の接続端部(22a) を、配線基板(B) 上において覆うものとされる。
【００１１】
その結果、基板側コネクタ装置(2) における、その絶縁ハウジング(21)からその外部に突出して配線基板(B) に設けられた複数の配線端子に夫々接続された複数のコンタクト(22)の接続端部(22a) を、配線基板(B) に設けられた複数の配線端子に半田付けにより夫々接続された後に、相手方コネクタ装置(1) における嵌合回動アーム(14)に一体的に設けられた回動操作部(14c) 及び導電性カバー部（14d ）によって覆うことができ、嵌合回動アーム(14)には基板側コネクタ装置(2) の導電性シェル(23)を通じて接地電位が与えられるので、基板側コネクタ装置(2) の複数のコンタクト(22)の接続端部(22a) に対する電磁シールド作用が得られることになる。
【先行技術文献】
【特許文献】
【００１２】
【特許文献１】特開２０１１−２３８４１０号公報
【発明の概要】
【発明が解決しようとする課題】
【００１３】
前述の従来提案されているコネクタ組立体にあっては、基板側コネクタ装置(2) における、その絶縁ハウジング(21)からその外部に突出して配線基板(B) に設けられた複数の配線端子に夫々接続された複数のコンタクト(22)の接続端部(22a) を、相手方コネクタ装置(1) における嵌合回動アーム(14)に一体的に設けられた回動操作部(14c) 及び導電性カバー部(14d) によって覆われたものとするにあたっては、相手方コネクタ装置(1) に備えられた嵌合回動アーム(14)を、相手方コネクタ装置(1) の導電性シェル(13)に設けられた軸受け部(13d) に挿入された回動軸部(14a) を回動中心として回動させて、嵌合開放位置から嵌合作用位置へと移行させることが必要とされる。そして、基板側コネクタ装置(2) との嵌合状態におかれた相手方コネクタ装置(1) において、嵌合回動アーム(14)を導電性シェル(13)に設けられた軸受け部(13d) に挿入された回動軸部(14a) を回動中心として回動させるためには、基板側コネクタ装置(2) が取り付けられた配線基板(B) との嵌合状態におかれた相手方コネクタ装置(1) の外方に嵌合回動アーム(14)の回動を許容するに足る空間が無くてはならない。
【００１４】
従って、基板側コネクタ装置(2) が取り付けられた配線基板(B) 上に基板側コネクタ装置(2) 及び相手方コネクタ装置(1) の占有空間として比較的大なる空間を用意することが必要とされることになる。その結果、配線基板(B) に取り付けられた基板側コネクタ装置(2) とそれとの嵌合状態をとる相手方コネクタ装置(1) とを含んで構成されたコネクタ組立体が限られた内部空間を有する電子機器に適用されるにあたり、当該電子機器内の限られた内部空間において複数の配線基板(B) を重ねて配置することが困難となってしまい、電子機器の内部空間の有効利用に支障が来される虞がある。
【００１５】
斯かる点に鑑み、本願の特許請求の範囲に記載された発明は、相手方コネクタ装置の嵌合部が差し込まれる差込口部が設けられて配線基板に配される絶縁ハウジングと、その絶縁ハウジングに配列配置されて設けられ、夫々が絶縁ハウジングの外部に突出して配線基板に設けられた配線端子に接続される接続端部及び差込口部に差し込まれた相手方コネクタ装置の嵌合部における接触端子部に押圧接触する接触接続部を有した複数のコンタクトと、絶縁ハウジングの外面部を部分的に覆う導電性シェルとを備え、配線基板に取り付けられて使用されるとき、それが取り付けられた配線基板上の占有空間を増大させることなく、しかも、複数のコンタクトの接続端部と配線基板に設けられた複数の配線端子との接続状態を目視確認できるもとで、絶縁ハウジングからその外部に突出して配線基板に設けられた複数の配線端子に夫々接続された複数のコンタクトの接続端部に対する電磁シールドを施すことができるコネクタ装置を提供する。
【課題を解決するための手段】
【００１６】
本願の特許請求の範囲における請求項１から請求項７までのいずれかに記載された発明（以下、本願発明という。）に係るコネクタ装置は、配線基板の面に配され、相手方コネクタ装置の嵌合部が配線基板の面に沿って差し込まれる差込口部が設けられた絶縁ハウジングと、絶縁ハウジングに配列配置されて設けられ、各々が絶縁ハウジングの外部に露出して配線基板に設けられた配線端子に接続される接続端部と差込口部に差し込まれた相手方コネクタ装置の嵌合部における接触端子部に押圧接触する接触接続部とを有した複数のコンタクトと、絶縁ハウジングにその外面部を部分的に覆う状態をもって固定され、配線基板における接地電位部に接続される導電性シェルとを備えて成り、導電性シェルに導電性カバーが接触接続されて装着され、その導電性カバーが、開口窓部が設けられたものとされたもとで、導電性シェルに対して配線基板の面に沿う方向に移動可能とされて第１の静止位置と第２の静止位置とを選択的にとり、導電性カバーが第１の静止位置をとるとき、開口窓部が絶縁ハウジングの外部に露出した複数のコンタクトの接続端部に対応する位におかれ、導電性カバーが第２の静止位置をとるとき、開口窓部が導電性シェルの部分によって塞がれるとともに、導電性カバーにおける開口窓部が形成されていない部分が絶縁ハウジングの外部に露出した複数のコンタクトの接続端部を覆う位置におかれること、を特徴とするものとされる。
【００１７】
特に、本願発明に係るコネクタ装置のうちの請求項３に記載されたものにあっては、導電性シェルにおける複数のコンタクトの配列方向の両端部の夫々に導電性カバーに対するガイド部が設けられるとともに、導電性カバーに導電性シェルにおけるガイド部に移動可能に係合する係合溝部が設けられていて、ガイド部に係合した係合溝部が、ガイド部による案内を受けて複数のコンタクトの配列方向に直交する方向に往復動を行い得るものとされる。
【００１８】
さらに、本願発明に係るコネクタ装置のうちの請求項４に記載されたものにあっては、導電性シェルにおける複数のコンタクトの配列方向の両端部の夫々に導電性カバーに対するガイド部が設けられるとともに、導電性カバーに導電性シェルにおけるガイド部に移動可能に係合する係合溝部が設けられたもとにおいて、導電性シェルにおけるガイド部に、絶縁ハウジングが配線基板の面に配されたもとで配線基板の面との間に所定の空隙を形成する空隙形成部が設けられ、その空隙形成部に導電性カバーにおける係合溝部が係合する。
【００１９】
上述のように構成される本願発明に係るコネクタ装置は、配線基板に取り付けられて用いられる基板側コネクタ装置を成すものとされる。そして、このような本願発明に係るコネクタ装置においては、相手方コネクタ装置の嵌合部が差し込まれる差込口部が設けられて配線基板の面に配される絶縁ハウジングと、各々が絶縁ハウジングの外部に露出して配線基板に設けられた配線端子に接続される接続端部と差込口部に差し込まれた相手方コネクタ装置の嵌合部における接触端子部に押圧接触する接触接続部とを有するものとされて絶縁ハウジングに配列配置される複数のコンタクトと、絶縁ハウジングにその外面部を部分的に覆う状態をもって固定されて配線基板における接地電位部に接続される導電性シェルとを備えたもとで、導電性シェルに導電性カバーが接触接続されて装着される。導電性カバーは、開口窓部が設けられたもとで、導電性シェルに対して配線基板の面に沿う方向に移動可能とされて第１の静止位置と第２の静止位置とを選択的にとるものとされている。そして、導電性カバーが第１の静止位置をとるとき、開口窓部が絶縁ハウジングの外部に露出した複数のコンタクトの接続端部に対応する位置におかれ、導電性カバーが第２の静止位置をとるとき、開口窓部が導電性シェルの部分によって塞がれるとともに、導電性カバーにおける開口窓部が形成されていない部分が絶縁ハウジングの外部に露出した複数のコンタクトの接続端部を覆う位置におかれる。
【００２０】
導電性カバーの導電性シェルへの装着は、例えば、本願発明に係るコネクタ装置のうちの請求項３に記載されたもののように、導電性シェルにおける複数のコンタクトの配列方向の両端部の夫々に設けられたガイド部に、導電性カバーに設けられた係合溝部が移動可能に係合し、ガイド部に係合した係合溝部がガイド部による案内を受けて複数のコンタクトの配列方向に直交する方向に往復動を行い得るものとされて行われる。
【００２１】
さらに、導電性シェルに設けられたガイド部に対する導電性カバーに設けられた係合溝部の係合は、例えば、本願発明に係るコネクタ装置のうちの請求項４に記載されたもののように、導電性シェルにおけるガイド部に、絶縁ハウジングが配線基板の面に配されたもとで配線基板の面との間に所定の空隙を形成する空隙形成部が設けられ、その空隙形成部に導電性カバーにおける係合溝部が係合することによって行われる。
【発明の効果】
【００２２】
上述の本願発明に係るコネクタ装置にあっては、導電性シェルに接触接続されて装着される導電性カバーが、それに開口窓部が設けられているとともに、導電性シェルに対して配線基板の面に沿う方向に移動可能とされて第１の静止位置と第２の静止位置とを選択的にとるものとされている。そして、絶縁ハウジングが配線基板の面に配されたもとで、導電性カバーが第１の静止位置をとるとき、開口窓部が絶縁ハウジングの外部に露出した複数のコンタクトの接続端部に対応する位置におかれ、それにより、複数のコンタクトの接続端部と配線基板に設けられた複数の配線端子との接続状態を、開口窓部を通じて容易に目視確認することができる。また、絶縁ハウジングが配線基板の面に配されたもとで、導電性カバーが第２の静止位置をとるとき、開口窓部が導電性シェルの部分によって塞がれるとともに、導電性カバーにおける開口窓部が形成されていない部分が絶縁ハウジングの外部に露出した複数のコンタクトの接続端部を覆う位置におかれ、それにより、絶縁ハウジングからその外部に突出して配線基板に設けられた複数の配線端子に夫々接続された複数のコンタクトの接続端部に対する電磁シールドを確実に施すことができる。
【００２３】
従って、本願発明に係るコネクタ装置によれば、配線基板に取り付けられて使用されるとき、例えば、導電性シェルに装着されて回動せしめられる電磁シールド用部材を要することなく、従って、コネクタ装置が取り付けられた配線基板上の占有空間を増大させることなく、しかも、複数のコンタクトの接続端部と配線基板に設けられた複数の配線端子との接続状態を目視確認できるもとで、絶縁ハウジングからその外部に突出して配線基板に設けられた複数の配線端子に夫々接続された複数のコンタクトの接続端部に対する電磁シールドを施すことができることになる。
【００２４】
特に、本願発明に係るコネクタ装置のうちの請求項３に記載されたものによれば、導電性シェルにおける複数のコンタクトの配列方向の両端部の夫々に導電性カバーに対するガイド部が設けられるとともに、導電性カバーに導電性シェルにおけるガイド部に移動可能に係合する係合溝部が設けられていて、ガイド部に係合した係合溝部が、ガイド部による案内を受けて複数のコンタクトの配列方向に直交する方向に往復動を行い得るものとされるので、導電性カバーの導電性シェルに対する配線基板の面に沿う方向の移動が、円滑かつ確実に行われることになる。
【００２５】
さらに、本願発明に係るコネクタ装置のうちの請求項４に記載されたものによれば、導電性シェルにおける導電性カバーに対するガイド部が設けられるとともに、導電性カバーに導電性シェルにおけるガイド部に移動可能に係合する係合溝部が設けられたもとにおいて、導電性シェルに設けられたガイド部に対する導電性カバーに設けられた係合溝部の係合が、導電性シェルにおけるガイド部に、絶縁ハウジングが配線基板の面に配されたもとで配線基板の面との間に所定の空隙を形成する空隙形成部が設けられ、その空隙形成部に導電性カバーにおける係合溝部が係合する状態をもって行われるので、導電性シェルが固定された絶縁ハウジングが配線基板の面に配されて、導電性シェルが配線基板における接地電位部に接続されるとともに、絶縁ハウジングからその外部に突出した複数のコンタクトの接続端部が配線基板に設けられた複数の配線端子に夫々接続された後に、導電性カバーを、その係合溝部を導電性シェルの外部から配線基板の面に沿って移動させて導電性シェルにおけるガイド部に設けられた空隙形成部に係合させることにより、導電性シェルに接触接続状態をもって装着することができる。
【図面の簡単な説明】
【００２６】
【図１】本願発明に係るコネクタ装置の一例をそれが取り付けられた配線基板及びそれに嵌合連結される相手方コネクタ装置と共に示す斜視図である。
【図２】本願発明に係るコネクタ装置の一例をそれから導電性カバーが分離された状態をもって示す斜視図である。
【図３】本願発明に係るコネクタ装置の一例に備えられる導電性カバーを示す斜視図である。
【図４】本願発明に係るコネクタ装置の一例を、それに備えられた導電性カバーが第１の静止位置をとるもとで、それに相手方コネクタ装置が嵌合連結された状態をもって示す底面側から見た斜視図である。
【図５】本願発明に係るコネクタ装置の一例を、それに備えられた導電性カバーが第１の静止位置をとるもとで、それに相手方コネクタ装置が嵌合連結された状態をもって示す断面図である。
【図６】本願発明に係るコネクタ装置の一例を、それに備えられた導電性カバーが第１の静止位置をとるもとで、それに相手方コネクタ装置が嵌合連結された状態をもって示す一部破断平面図である。
【図７】図６における一点鎖線枠Ａ内を拡大して示す部分拡大断面図である。
【図８】本願発明に係るコネクタ装置の一例を、それに備えられた導電性カバーが第２の静止位置をとるもとで、それに相手方コネクタ装置が嵌合連結された状態をもって示す斜視図である。
【図９】本願発明に係るコネクタ装置の一例を、それに備えられた導電性カバーが第２の静止位置をとるもとで、それに相手方コネクタ装置が嵌合連結された状態をもって示す正面図である。
【図１０】本願発明に係るコネクタ装置の一例を、それに備えられた導電性カバーが第２の静止位置をとるもとで、それに相手方コネクタ装置が嵌合連結された状態をもって示す側面図である。
【図１１】本願発明に係るコネクタ装置の一例を、それに備えられた導電性カバーが第２の静止位置をとるもとで、それに相手方コネクタ装置が嵌合連結された状態をもって示す一部破断平面図である。
【図１２】図１１における一点鎖線枠Ｂ内を拡大して示す部分拡大断面図である。
【発明を実施するための形態】
【００２７】
本発明を実施するための形態は、以下に述べられる本発明についての実施例をもって説明される。
【実施例】
【００２８】
図１は、本願発明に係るコネクタ装置の一例を、それが取り付けられた配線基板、及び、それに嵌合連結される相手方コネクタ装置と共に示す。
【００２９】
図１において、本願発明に係るコネクタ装置の一例を成すコネクタ装置１１は、配線基板１２にそれにおける電気回路構成部との電気的接続がなされて取り付けられて基板側コネクタ装置として使用されるリセプタクルコネクタを成しており、配線基板１２に取り付けられた状態のもとで、プラグコネクタを成す相手方コネクタ装置１３が嵌合連結されるものとされている。そして、コネクタ装置１１は、配線基板１２の面１２ａに配された絶縁ハウジング１４を備えており、絶縁ハウジング１４は、合成樹脂等の絶縁材料によって形成されていて、相手方コネクタ装置１３の嵌合部１５が配線基板１２の面１２ａに沿って差し込まれる差込口部１６（後述される図５に示される。）が設けられたものとされている。
【００３０】
絶縁ハウジング１４には、導電性シェル１７が固定されており、絶縁ハウジング１４の外面部の大部分が導電性シェル１７によって覆われている。即ち、導電性シェル１７は、絶縁ハウジング１４にその外面部を部分的に覆う状態もって固定されているのである。導電性シェル１７には、配線基板１２の面１２ａに配される基板接続部１８が設けられており、基板接続部１８は、絶縁ハウジング１４が配線基板１２の面１２ａに配されたもとで、配線基板１２における接地電位部に、例えば、半田付けにより接続される。それにより、導電性シェル１７の基板接続部１８は、絶縁ハウジング１４の配線基板１２の面１２ａ上における固定にも寄与する。そして、導電性シェル１７には、導電性カバー１９が、移動可能に接触接続されて装着されている。
【００３１】
導電性カバー１９は導電性シェル１７から分離し得るものとされており、コネクタ装置１１をその導電性シェル１７から導電性カバー１９が分離された状態をもって示す図２に示されるように、その外面部の大部分が導電性シェル１７によって覆われた絶縁ハウジング１４には、複数のコンタクト２０が配列配置されて設けられている。複数のコンタクト２０の各々は、例えば、弾性を有した金属帯状部材に屈曲加工が施されて形成されており、絶縁ハウジング１４の外部に露出して配線基板１２の面１２ａに配されて配線基板１２における電気回路構成部に設けられた配線端子に、例えば、半田付けにより接続される接続端部２０ａと、相手方コネクタ装置１３の嵌合部１５が絶縁ハウジング１４の差込口部１６に差し込まれたとき、当該相手方コネクタ装置１３の嵌合部１５における接触端子部２１ａに押圧接触する接触接続部２０ｂ（後述される図５に示される。）と、を有している。
【００３２】
絶縁ハウジング１４にその外面部を部分的に覆う状態もって固定された導電性シェル１７は、例えば、弾性を有した金属板状部材に打抜き・屈曲加工が施されて形成されており、それに設けられた基板接続部１８が配線基板１２における接地電位部に接続されることにより、複数のコンタクト２０における絶縁ハウジング１４内に配された部分に対する電磁シールド作用をもたらすものとされている。そして、図２に示されるように、導電性シェル１７における複数のコンタクト２０の配列方向の両端部の夫々に、導電性シェル１７に移動可能に装着される導電性カバー１９に対するガイド部２２が、複数のコンタクト２０の配列方向に直交する方向に伸びるものとして設けられており、ガイド部２２には、切込み凹部を成す係合受け部２３と透孔を成す係合受け部２４とが形成されている。これらの係合受け部２３と係合受け部２４とは、導電性シェル１７のガイド部２２に形成された第１の係合部を構成している。さらに、ガイド部２２には、絶縁ハウジング１４が配線基板１２の面１２ａに配されたもとで、配線基板１２の面１２ａとの間に比較的小なる所定の空隙を形成する空隙形成部２５が設けられている。
【００３３】
導電性カバー１９は、導電性シェル１７と同様に、例えば、弾性を有した金属板状部材に打抜き・屈曲加工が施されて形成されており、図２及び導電性カバーを単独で示す図３に示されるように、複数の開口窓部２６が設けられている。また、導電性カバー１９にあっては、それにおける導電性シェル１７に装着されたとき複数のコンタクト２０の配列方向となる方向の両端部の夫々に、内側に折り込まれた折込部２７が形成されていて、それにより、導電性シェル１７におけるガイド部２２にそれが伸びる方向に移動可能とされて係合する係合溝部２８が形成されている。従って、導電性カバー１９には、導電性シェル１７におけるガイド部２２に係合して、複数のコンタクト２０の配列方向に直交する方向に往復動可能とされた係合溝部２８が設けられていることになる。そして、導電性カバー１９における係合溝部２８が導電性シェル１７におけるガイド部２２に係合する際には、導電性カバー１９における係合溝部２８を形成する折込部２７が、導電性シェル１７におけるガイド部２２に設けられた空隙形成部２５に係合して、空隙形成部２５が配線基板１２の面１２ａとの間に形成する空隙内に挿入される。
【００３４】
さらに、導電性カバー１９における係合溝部２８には、導電性カバー１９が導電性シェル１７に装着されたとき導電性シェル１７におけるガイド部２２に形成された係合受け部２３及び係合受け部２４のいずれかに係合すべく、内側に突出する突出係合部２９が形成されている。この突出係合部２９は導電性カバー１９の係合溝部２８に形成された第２の係合部を構成している。
【００３５】
このようなもとで、配線基板１２の面１２ａに配された絶縁ハウジング１４に固定された導電性シェル１７に導電性カバー１９が装着されたときには、導電性カバー１９における係合溝部２８が導電性シェル１７におけるガイド部２２に移動可能に係合し、係合溝部２８を形成する折込部２７が、導電性シェル１７におけるガイド部２２に設けられた空隙形成部２５に係合して、空隙形成部２５が配線基板１２の面１２ａとの間に形成する空隙内に挿入された状態がとられ、導電性カバー１９が導電性シェル１７に対して配線基板１２の面１２ａに沿うとともに複数のコンタクト２０の配列方向に直交する方向に移動可能とされる。そして、導電性シェル１７に対して配線基板１２の面１２ａに沿うとともに複数のコンタクト２０の配列方向に直交する方向に移動可能とされた導電性カバー１９は、図１に示される第１の静止位置と後述される第８図に示される第２の静止位置とを選択的にとる。
【００３６】
導電性カバー１９が第１の静止位置をとるときには、図１及び後述される図６に示されるように、導電性カバー１９に設けられた複数の開口窓部２６が、絶縁ハウジング１４の外部に露出した複数のコンタクト２０の接続端部２０ａに対応する位置におかれる。また、導電性カバー１９が第２の静止位置をとるときには、後述される図８及び図１１に示されるように、導電性カバー１９に設けられた複数の開口窓部２６が導電性シェル１７の部分１７ａによって塞がれるとともに、導電性カバー１９における複数の開口窓部２６が形成されていない部分１９ａが、絶縁ハウジング１４の外部に露出した複数のコンタクト２０の接続端部２０ａを覆う位置におかれる。
【００３７】
一方、図１に示される、プラグコネクタを成す相手方コネクタ装置１３は、例えば、複数の同軸ケーブル３０が電気的に連結されたもとで、配線基板１２にそれに設けられた電気回路構成部との電気的接続がなされて取り付けられたコネクタ装置１１に嵌合連結せしめられるものとされている。そして、相手方コネクタ装置１３は、合成樹脂等の絶縁材料によって形成されていて、嵌合部１５が設けられた絶縁ハウジング３１、及び、絶縁ハウジング３１内に対する電磁シールド作用をもたらすべく絶縁ハウジング３１の外面部を部分的に覆うものとされた、例えば、弾性を有した金属板材料が屈曲されて成る導電性シェル３２を備えている。絶縁ハウジング３１に設けられた嵌合部１５は、導電性シェル３２の外部に突出している。
【００３８】
絶縁ハウジング３１には、各々が、例えば、弾性を有した金属帯状部材に屈曲加工が施されて形成された複数のコンタクト２１（後述される図５に示される。）が配列配置されている。複数のコンタクト２１の各々は、嵌合部１５に配された接触端子部２１ａと、複数の同軸ケーブル３０のうちの対応するものの信号導体３０ａ（後述される図５に示される。）が接続される接続端部２１ｂ（後述される図５に示される。）とを有している。複数の同軸ケーブル３０の夫々は、その信号導体３０ａがコンタクト２１に接続されるともに、その接地導体３０ｂ（後述される図５に示される。）が導電性シェル３２に接触接続されて、相手方コネクタ装置１３に電気的に連結されている。
【００３９】
図４（斜視図），図５（断面図) 及び図６（一部破断平面図）は、配線基板１２にそれに設けられた電気回路構成部との電気的接続がなされて取り付けられたコネクタ装置１１に相手方コネクタ装置１３が嵌合連結された状態を示す。但し、図４及び図６にあっては、便宜上、配線基板１２の図示が省略されている。
【００４０】
コネクタ装置１１に対する相手方コネクタ装置１３の嵌合連結は、図５に示されるように、相手方コネクタ装置１３の絶縁ハウジング３１に設けられた嵌合部１５がコネクタ装置１１の絶縁ハウジング１４に設けられた差込口部１６に差し込まれて行われる。そして、このとき、コネクタ装置１１の複数のコンタクト２０の夫々における接触接続部２０ｂが、相手方コネクタ装置１３の嵌合部１５に配された、相手方コネクタ装置１３の複数のコンタクト２１のうちの対応するものの接触端子部２１ａに押圧接触するとともに、コネクタ装置１１の導電性シェル１７が相手方コネクタ装置１３の導電性シェル３２との接触接続状態をとる。それにより、コネクタ装置１１と相手方コネクタ装置１３とが電気的に接続され、相手方コネクタ装置１３に連結された複数の同軸ケーブル３０の夫々が、相手方コネクタ装置１３及びコネクタ装置１１を介して、コネクタ装置１１が取り付けられた配線基板１２における電気回路構成部に電気的に連結されることになる。
【００４１】
図４，図５及び図６に示されるコネクタ装置１１においては、絶縁ハウジング１４に固定された導電性シェル１７にそれに設けられたガイド部２２に係合溝部２８を係合させて移動可能に装着された導電性カバー１９が、第１の静止位置をとる状態におかれている。斯かるときには、導電性カバー１９に設けられた複数の開口窓部２６が、絶縁ハウジング１４の外部に露出した複数のコンタクト２０の接続端部２０ａに対応する位置におかれ、それにより、図６に示されるように、導電性カバー１９の外部から複数の開口窓部２６を通じて複数のコンタクト２０の接続端部２０ａを目視することができる。その結果、複数のコンタクト２０の接続端部２０ａについての配線基板１２における電気回路構成部に設けられた配線端子との半田付け接続状態を容易に目視確認することができることになる。
【００４２】
また、導電性カバー１９が第１の静止位置をとるもとにおいては、図６及び図６における一点鎖線枠Ａ内を拡大して示す図７に示されるように、導電性シェル１７におけるガイド部２２に形成された第１の係合部を成す係合受け部２３及び係合受け部２４のうちの係合受け部２３に、導電性カバー１９における係合溝部２８に形成された第２の係合部を成す突出係合部２９が係合する。それにより、導電性カバー１９が導電性シェル１７から不所望に離脱してしまう事態が回避される。
【００４３】
このとき、導電性カバー１９における係合溝部２８が導電性シェル１７におけるガイド部２２に移動可能に係合し、係合溝部２８を形成する折込部２７が、導電性シェル１７におけるガイド部２２に設けられた空隙形成部２５に係合して、空隙形成部２５が配線基板１２の面１２ａとの間に形成する空隙内に挿入された状態がとられていて、導電性カバー１９が導電性シェル１７に対して配線基板１２の面１２ａに沿うとともに複数のコンタクト２０の配列方向に直交する方向に移動可能とされている。斯かるもとで、その後、第１の静止位置におかれていた導電性カバー１９が、複数の同軸ケーブル３０が連結された相手方コネクタ装置１３側へと押され、導電性シェル１７に対して配線基板１２の面１２ａに沿うとともに複数のコンタクト２０の配列方向に直交する方向に移動せしめられて、図８（斜視図），図９（正面図），図１０（側面図）、図１１（一部破断平面図）に示されるように、第２の静止位置をとるものとされる。なお、図１１にあっては、便宜上、配線基板１２の図示が省略されている。
【００４４】
導電性カバー１９が第２の静止位置をとるときには、図８及び図１１に示されるように、導電性カバー１９に設けられた複数の開口窓部２６が導電性シェル１７の部分１７ａによって塞がれるとともに、導電性カバー１９における複数の開口窓部２６が形成されていない部分１９ａが、絶縁ハウジング１４の外部に露出した複数のコンタクト２０の接続端部２０ａを覆う位置におかれる。導電性カバー１９は、配線基板１２における接地電位部に接続された導電性シェル１７に接触接続されて装着されていて、接地電位が与えられている。従って、導電性シェル１７の部分１７ａによって塞がれた複数の開口窓部２６と複数のコンタクト２０の接続端部２０ａを覆うものとされた部分１９ａとを含んだ導電性カバー１９は、絶縁ハウジング１４の外部に露出した複数のコンタクト２０の接続端部２０ａに対して良好な電磁シールド作用を確実にもたらす。しかも、導電性シェル１７に装着されて回動せしめられる電磁シールド用部材のような部材は不要とされるので、コネクタ装置１１が取り付けられた配線基板１２上の占有空間が増大せしめられる虞はない。
【００４５】
また、導電性カバー１９が第２の静止位置をとるもとにおいては、図１１及び図１１における一点鎖線枠Ｂ内を拡大して示す図１２に示されるように、導電性シェル１７におけるガイド部２２に形成された第１の係合部を成す係合受け部２３及び係合受け部２４のうちの係合受け部２４と導電性カバー１９における係合溝部２８に形成された第２の係合部を成す突出係合部２９とが相互係合して、導電性カバー１９を導電性シェル１７に対して係止する。それにより、導電性カバー１９が導電性シェル１７に装着されて第２の静止位置をとる状態が安定に維持される。
【００４６】
上述のようにして、配線基板１２に配された絶縁ハウジング１４に固定された導電性シェル１７に導電性カバー１９が装着された状態を得るにあたっては、導電性カバー１９を、絶縁ハウジング１４に固定された導電性シェル１７に、絶縁ハウジング１４の外部に露出した複数のコンタクト２０の接続端部２０ａに向き合う側から配線基板１２の面１２ａに沿って近接させた後、導電性カバー１９における係合溝部２８を形成する折込部２７を、導電性シェル１７におけるガイド部２２に設けられた空隙形成部２５が配線基板１２の面１２ａとの間に形成する空隙内に挿入して空隙形成部２５に係合させることにより、導電性カバー１９における係合溝部２８を導電性シェル１７におけるガイド部２２に移動可能に係合するものとなして、導電性カバー１９が導電性シェル１７に装着された状態とすることができる。従って、導電性カバー１９の導電性シェル１７への装着を、導電性シェル１７が固定された絶縁ハウジング１４を配線基板１２の面１２ａに配し、導電性シェル１７に設けられた基板接続部１８を配線基板１２における接地電位部に、例えば、半田付けにより接続するとともに、複数のコンタクト２０の接続端部２０ａを配線基板１２における電気回路構成部に設けられた配線端子に、例えば、半田付けにより接続した後に行うことができることになる。
【００４７】
上述のコネクタ装置１１にあっては、導電性シェル１７に接触接続されて装着される導電性カバー１９が、それに開口窓部２６が設けられているとともに、導電性シェル１７に対して配線基板１２の面１２ａに沿う方向に移動可能とされて第１の静止位置と第２の静止位置とを選択的にとるものとされていて、絶縁ハウジング１４が配線基板１２の面１２ａに配されたもとで、導電性カバー１９が第１の静止位置をとるとき、開口窓部２６が絶縁ハウジング１４の外部に露出した複数のコンタクト２０の接続端部２０ａに対応する位置におかれるので、複数のコンタクト２０の接続端部２０ａと配線基板１２に設けられた複数の配線端子との接続状態を、開口窓部２６を通じて容易に目視確認することができる。また、絶縁ハウジング１４が配線基板１２の面１２ａに配されたもとで、導電性カバー１９が第２の静止位置をとるとき、開口窓部２６が導電性シェル１７の部分１７ａによって塞がれるとともに、導電性カバー１９における開口窓部２６が形成されていない部分１９ａが絶縁ハウジング１４の外部に露出した複数のコンタクト２０の接続端部２０ａを覆う位置におかれるので、絶縁ハウジング１４からその外部に突出して配線基板１２に設けられた複数の配線端子に夫々接続された複数のコンタクト２０の接続端部２０ａに対する電磁シールドを確実に施すことができる。
【００４８】
従って、コネクタ装置１１によれば、配線基板１２に取り付けられて使用されるとき、例えば、導電性シェル１７に装着されて回動せしめられる電磁シールド用部材を要することなく、従って、コネクタ装置１１が取り付けられた配線基板１２上の占有空間を増大させることなく、しかも、複数のコンタクト２０の接続端部２０ａと配線基板１２に設けられた複数の配線端子との接続状態を目視確認できるもとで、絶縁ハウジング１４からその外部に突出して配線基板１２に設けられた複数の配線端子に夫々接続された複数のコンタクト２０の接続端部２０ａに対する電磁シールドを施すことができることになる。
【００４９】
また、導電性シェル１７における複数のコンタクト２０の配列方向の両端部の夫々に導電性カバー１９に対するガイド部２２が設けられるとともに、導電性カバー１９に導電性シェル１７におけるガイド部２２に移動可能に係合する係合溝部２８が設けられていて、ガイド部２２に係合した係合溝部２８が、ガイド部２２による案内を受けて複数のコンタクト２０の配列方向に直交する方向に往復動を行い得るものとされるので、導電性カバー１９の導電性シェル１７に対する配線基板１２の面１２ａに沿う方向の移動が、円滑かつ確実に行われることになる。
【００５０】
さらに、導電性シェル１７に導電性カバー１９に対するガイド部２２が設けられるとともに、導電性カバー１９に導電性シェル１７におけるガイド部２２に移動可能に係合する係合溝部２８が設けられたもとにおいて、導電性シェル１７に設けられたガイド部２２に対する導電性カバー１９に設けられた係合溝部２８の係合が、導電性シェル１７におけるガイド部２２に、絶縁ハウジング１４が配線基板１２の面１２ａに配されたもとで配線基板１２の面１２ａとの間に所定の空隙を形成する空隙形成部２５が設けられ、その空隙形成部２５に導電性カバー１９における係合溝部２８を形成する折込部２７が係合する状態をもって行われるので、導電性シェル１７が固定された絶縁ハウジング１４が配線基板１２の面１２ａに配されて、導電性シェル１７が配線基板１２における接地電位部に接続されるとともに、絶縁ハウジング１４からその外部に突出した複数のコンタクト２０の接続端部２０ａが配線基板１２に設けられた複数の配線端子に夫々接続された後に、導電性カバー１９を、その係合溝部２８を形成する折込部２７を導電性シェル１７の外部から配線基板１２の面１２ａに沿って移動させて導電性シェル１７におけるガイド部２２に設けられた空隙形成部２５に係合させることにより、導電性シェル１７に接触接続状態をもって装着することができる。
【産業上の利用可能性】
【００５１】
以上のような本願発明に係るコネクタ装置は、配線基板に配される絶縁ハウジングと、絶縁ハウジングに配列配置されて設けられ、夫々が絶縁ハウジングの外部に突出して配線基板に設けられた配線端子に接続される接続端部を有した複数のコンタクトと、絶縁ハウジングの外面部を部分的に覆う導電性シェルとを備えたもとにおいて、配線基板に取り付けられて使用されるとき、それが取り付けられた配線基板上の占有空間を増大させることなく、しかも、複数のコンタクトの接続端部と配線基板に設けられた複数の配線端子との接続状態を目視確認できるもとで、絶縁ハウジングからその外部に突出して配線基板に設けられた複数の配線端子に夫々接続された複数のコンタクトの接続端部に対する電磁シールドを施すことができるものとして、様々な電子機器等に広く適用され得るものである。
【符号の説明】
【００５２】
１１・・・コネクタ装置，  １２・・・配線基板，  １３・・・相手方コネクタ装置，  １４，３１・・・絶縁ハウジング，  １５・・・嵌合部，  １６・・・差込口部，  １７，３２・・・導電性シェル，  １７ａ・・・（導電性シェル１７の）部分，  １８・・・基板接続部，  １９・・・導電性カバー，  １９ａ・・・（導電性カバー１９の）部分，  ２０，２１・・・コンタクト，  ２２・・・ガイド部，  ２３，２４・・・係合受け部，  ２５・・・空隙形成部，  ２６・・・開口窓部，  ２７・・・折込部，  ２８・・・係合溝部，  ２９・・・突出係合部，  ３０・・・同軸ケーブル
【図１】
0006508463.tif 000002
【図２】
0006508463.tif 000003
【図３】
0006508463.tif 000004
【図４】
0006508463.tif 000005
【図５】
0006508463.tif 000006
【図６】
0006508463.tif 000007
【図７】
0006508463.tif 000008
【図８】
0006508463.tif 000009
【図９】
0006508463.tif 000010
【図１０】
0006508463.tif 000011
【図１１】
0006508463.tif 000012
【図１２】
0006508463.tif 000013